(57)【要約】【課題】複合機(ＭＦＰ)の処理効率を高めユーザへの不快感を大幅に抑えるためのＭＦＰに適合した原稿サイズ検知モジュールを提供する。【解決手段】原稿が載置されるように適合された透明な台を有するＭＦＰに適合された原稿サイズ検知モジュールが提供され、透明な台の下方に第１の軸方向に沿って移動可能に設けられた移動コンポーネントと、第１のセンサと、第２のセンサと、移動コンポーネント、第１のセンサ、及び第２のセンサと電気的に接続された制御ユニットとを備える。第１及び第２のセンサは移動コンポーネント上に設けられ、第２の軸方向に沿って配置される。制御ユニットが移動コンポーネントを第１の軸方向に沿って移動するように駆動し、第１のセンサ及び第２のセンサの少なくとも１つが原稿を検知したとき、制御ユニットは移動コンポーネントが移動した距離に従って原稿の長さを、そして第１のセンサ及び第２のセンサによって原稿の幅を決定し、これにより原稿の寸法を決定する。【選択図】図２
2020017939.tif 000002
【特許請求の範囲】
【請求項１】
原稿が載置されるように適合された透明な台を有する複合機に適合された原稿サイズ検知モジュールであって、前記原稿サイズ検知モジュールが、
前記透明な台の下方に第１の軸方向に沿って移動可能に設けられた移動コンポーネントと、
前記移動コンポーネント上に設けられた第１のセンサと、
前記第１のセンサとともに第２の軸方向に沿って配置される、前記移動コンポーネント上に設けられた第２のセンサと、
前記移動コンポーネント、前記第１のセンサ、及び前記第２のセンサと電気的に接続された制御ユニットと、を備え、
前記制御ユニットが、前記移動コンポーネントを前記第１の軸方向に沿って移動するように駆動し、前記第１のセンサ及び前記第２のセンサの少なくとも１つが前記原稿を検知したとき、前記制御ユニットが、前記移動コンポーネントが前記第１の軸方向に沿って移動した距離により前記原稿の長さ（Ｌ）を決定し、前記第１のセンサ及び前記第２のセンサによって前記原稿の幅（Ｗ）を決定し、これにより前記原稿の寸法（Ｗ×Ｌ）を決定する、原稿サイズ検知モジュール。
【請求項２】
前記透明な台が、第１の基準側面と、前記第１の基準側面と反対側の対応側面とを有し、前記第１の基準側面及び前記対応側面が前記第１の軸方向に沿って設けられ、前記第１の基準側面と前記対応側面の間に距離（Ｘ１）が存在し、前記原稿の一端が前記第１の基準側面と位置合わせされるように適合され、前記制御ユニットが、前記移動コンポーネントを前記対応側面から前記第１の基準側面に向かって伝動距離（Ｘ２）だけ移動するように駆動し、前記伝動距離（Ｘ２）が、前記第１のセンサ及び前記第２のセンサの少なくとも１つが前記原稿を検知するまで前記対応側面から前記移動コンポーネントが移動した距離であり、前記原稿の前記長さ（Ｌ）が、前記距離（Ｘ１）から前記伝動距離（Ｘ２）を引くことによって得られる差である（Ｌ＝Ｘ１−Ｘ２）、請求項１に記載の原稿サイズ検知モジュール。
【請求項３】
前記制御ユニットに電気的に接続され、前記原稿の寸法を記憶するように構成された記憶ユニットをさらに備え、前記制御ユニットが、前記第１のセンサ及び前記第２のセンサの検知状態を前記原稿の前記寸法と比較して前記原稿の前記幅（Ｗ）を得る、請求項１に記載の原稿サイズ検知モジュール。
【請求項４】
前記透明な台が、前記第２の軸方向に沿って設けられた第２の基準側面を有し、前記原稿の他端が前記第２の基準側面と位置合わせされるように適合され、前記原稿の前記寸法が、最も小さい面積（ＡＲ１＝第１のサイズ（Ｄ１）×第２のサイズ（Ｄ２））を占める原稿を含み、前記第２の軸方向に沿った前記第１のセンサと前記第２の基準側面の間に第１の距離（Ｙ１）が存在し、前記第１の距離（Ｙ１）が、前記第１のサイズ（Ｄ１）及び前記第２のサイズ（Ｄ２）の小さい方より小さい（Ｙ１＜ｍｉｎ（Ｄ１，Ｄ２）、請求項３に記載の原稿サイズ検知モジュール。
【請求項５】
前記原稿の前記寸法が、二番目に小さい面積（ＡＲ２＝第３のサイズ（Ｄ３）×第４のサイズ（Ｄ４））を占める原稿を含み、前記第２の軸方向に沿った前記第２のセンサと前記第２の基準側面の間に第２の距離（Ｙ２）が存在し、前記第２の距離（Ｙ２）が、前記第１のサイズ（Ｄ１）及び前記第２のサイズ（Ｄ２）の前記小さい方より大きく、かつ前記第３のサイズ（Ｄ３）と前記第４のサイズ（Ｄ４）の大きい方より小さい（ｍｉｎ（Ｄ１，Ｄ２）＜距離（Ｙ２）＜ｍａｘ（Ｄ３，Ｄ４））、請求項４に記載の原稿サイズ検知モジュール。
【請求項６】
前記移動コンポーネントが密着イメージセンサモジュールの一部であり、前記密着イメージセンサモジュールが前記複合機内に設けられる、請求項１に記載の原稿サイズ検知モジュール。
【発明の詳細な説明】
【技術分野】
【０００１】
本開示は、複合機（ＭＦＰ）の原稿サイズ検知モジュールに関する。
【背景技術】
【０００２】
一般に、給紙機能を実行可能な複合機（ＭＦＰ）が使用されている場合、用紙の所要寸法を手動で選択するのに、ＭＦＰの操作パネルで手動操作を行うことが頻繁に必要になるが、これは原稿処理効率に不利である。用紙が供給されているときに、入ってくる用紙のサイズをＭＦＰが能動的に検知することができる場合、ユーザはコンピュータ又はＭＦＰの操作パネルを使って用紙の寸法を手動で選択する必要がなく、これによってＭＦＰの操作が単純化されて容易になる。したがって、原稿処理中に用紙のサイズを検知するためのフォトセンサやフォトインタラプタが従来技術により開発されてきた。
【０００３】
前述した既存の設計によって、様々な用紙の寸法を効果的に検知することが可能になるが、寸法の多様性は、寸法を効果的に検知するためのフォトセンサ（又はフォトインタラプタ）をますます多く必要とする。さらに、フォトセンサ（又はフォトインタラプタ）は費用がかかり、多くの理由で損傷しやすい可能性があるため、製造及び保守に関してかなりの費用が予想される可能性がある。
【０００４】
スキャニングモジュールを備えたＭＦＰもまた本明細書で説明される。原稿の寸法を決定するために、スキャニングモジュールによって提供される照射ビームを使用して、原稿をスキャンする前に照射し、原稿の寸法をスキャニングモジュールの検知動作により決定することができる。しかしながら、このような照射動作は、ユーザがＭＦＰの上カバーを持ち上げ、ＭＦＰに用紙を載置した後に行われる。結果として、ユーザは照射ビームを直接見ることになり、ユーザの目に不快感がもたらされる可能性が高い。また、スキャニングモジュールは、原稿の寸法を決定できるようになる前に計算を行わなければならないため、全体の動作時間が増える。
【０００５】
したがって、ユーザに悪影響を及ぼすことなく、ＭＦＰの構造及び構成を適切に調整することによっていかにして原稿の寸法を検知する効率を高めるかが、当業者が解決すべき課題である。
【発明の概要】
【発明が解決しようとする課題】
【０００６】
本開示は、複合機（ＭＦＰ）の処理効率を高め、ユーザへの不快感を大幅に抑えるためのＭＦＰに適合した原稿サイズ検知モジュールに関する。
【課題を解決するための手段】
【０００７】
本発明のある実施形態では、ＭＦＰに適合した原稿サイズ検知モジュールが提供される。ＭＦＰは、原稿が載置されるように適合された透明な台を有する。原稿サイズ検知モジュールは、移動コンポーネント、第１のセンサ、第２のセンサ、及び制御ユニットを備える。移動コンポーネントは、第１の軸方向に沿って移動可能に透明な台の下方に設けられる。第１のセンサ及び第２のセンサは、それぞれ移動コンポーネント上に設けられ、第２の軸方向に沿って配置される。制御ユニットは、移動コンポーネント、第１のセンサ、及び第２のセンサに電気的に接続される。制御ユニットが移動コンポーネントを第１の軸方向に沿って移動するように駆動し、第１のセンサ及び第２のセンサの少なくとも１つが原稿を検知したとき、制御ユニットは、第１の軸方向に沿って移動コンポーネントが移動した距離に従って原稿の長さ（Ｌ）を決定し、第１のセンサ及び第２のセンサにより原稿の幅（Ｗ）を決定し、これによって原稿の寸法を決定する。
【発明の効果】
【０００８】
以上に基づいて、原稿サイズ検知モジュールを備えたＭＦＰは、原稿を処理する前に原稿の寸法を検知するステップを完了することができる。換言すれば、移動コンポーネント上に設けられた第１のセンサ及び第２のセンサを使用して、制御モジュールは、移動コンポーネントを第１の軸方向に沿って移動するように駆動する間に、第１のセンサ及び第２のセンサの検知状態に従って透明な台に載置された原稿の寸法を決定することができ、その後この寸法に基づいて原稿を処理することができる。
【図面の簡単な説明】
【０００９】
添付図面は、実施形態のさらなる理解のために含められ、本明細書に組み込まれてその一部を構成する。図面は実施形態を示し、記述とともに１又は複数の実施形態において提供される原理を説明する働きをする。
【００１０】
【図１】本発明のある実施形態に係る複合機（ＭＦＰ）の模式図。
【図２】図１に示すＭＦＰの一部分の上面図。
【図３】図１に示すＭＦＰの一部のコンポーネントの電気接続関係を示す図。
【図４】原稿を検知するセンサの模式図。
【図５】原稿の寸法とセンサの対応関係を示す表。
【発明を実施するための形態】
【００１１】
ここで、本発明の実施形態が詳細に参照され、その実施例が添付図面に示される。可能な限り同じ参照番号が図面及び記述において同一又は類似の部分を指すために使用される。
【００１２】
図１は、本発明のある実施形態に係る複合機（ＭＦＰ）の模式図である。図２は、図１に示すＭＦＰの一部分の上面図である。図３は、図１に示すＭＦＰの一部のコンポーネントの電気接続関係を示す。図１から図３を参照すると、本実施形態では、ＭＦＰ／プリンタ／周辺装置１００は、複写、ファクス、スキャニング、及び印刷などが含まれるがこれらに限定されない様々な機能を統合する既知のオフィスオートメーション装置である。ＭＦＰ１００は、マシン１１０と、透明な台１２０と、上カバー１３０と、原稿処理モジュール１４０と、原稿サイズ検知モジュール１５０とを備える。透明な台１２０は、マシン１１０上に設けられ、上カバー１３０はマシン１１０に枢着され、これにより上カバー１３０は、透明な台１２０に対して回転自在に開閉可能となる。原稿２００（例えば用紙）は、透明な台１２０上に載置されるように適合され、原稿処理モジュール１４０は、マシン１１０内に設けられ、透明な台１２０の下方に位置し、これにより透明な台１２０上に載置された原稿２００を処理する（例えば原稿２００をファクス、スキャン、又は複写する）。
【００１３】
したがって、透明な台１２０上の原稿２００の寸法を、原稿２００が処理される前に知ることができるため、原稿処理効率の向上につながる。本実施形態において提供されているＭＦＰ１００は原稿サイズ検知モジュール１５０を備えているため、前記要件を満たすことができる。
【００１４】
本実施形態では、原稿サイズ検知モジュール１５０は、移動コンポーネント１５３と、第１のセンサ１５１と、第２のセンサ１５２と、制御ユニット１５４とを備える。移動コンポーネント１５３は、第１の軸方向Ｘに沿って移動可能に透明な台１２０の下方に設けられ、第１のセンサ１５１及び第２のセンサ１５２は、それぞれ移動コンポーネント１５３上に設けられて第２の軸方向Ｙに沿って配置され、制御ユニット１５４は、移動コンポーネント１５３、第１のセンサ１５１、及び第２のセンサ１５２に電気的に接続される。ここで制御ユニット１５４は、駆動能力と、論理的決定能力と、関連する電子メッセージを処理する能力を有しており、第１の軸方向Ｘは第２の軸方向Ｙと直交する。一般に、スキャナなどのスキャニングモジュール、ＭＦＰ、複写機などを備えている装置では、２つの軸方向Ｘ及びＹは互いに直交する。
【００１５】
本実施形態によれば、移動コンポーネント１５３は、移動部材１５３ｃと、伝動部材１５３ｂと、動力源１５３ａとを備える。例えば、動力源１５３ａは、透明な台１２０の下方に設けられ、制御ユニット１５４に電気的に接続されたモータである。伝動部材１５３ｂは、例えばドライバギアとベルトによって構成される。移動部材１５３ｃは第２の軸方向Ｙに沿って延在し、伝動部材１５３ｂは動力源１５３ａと移動部材１５３ｃの間に接続される。したがって、移動部材１５３ｃ、伝動部材１５３ｂ、及び動力源１５３ａの構成によって、移動部材１５３ｃ（及び移動部材１５３ｃ上の第１のセンサ１５１及び第２のセンサ１５２）は、第１の軸方向Ｘに沿って前後に移動するように駆動することができる。
【００１６】
前記構成に基づいて、制御ユニット１５４が移動コンポーネント１５３を第１の軸方向Ｘに沿って移動するように駆動するとき、制御ユニット１５４は、第１のセンサ１５１及び第２のセンサ１５２の検知状態により原稿２００の寸法を決定することができる。
【００１７】
図４は、原稿を検知するセンサの模式図である。ここでセンサは、例えば第１のセンサ１５１を参照する（第２のセンサ１５２も用いられるが、繰り返しの説明はこれ以上行わない）。本実施形態では、第１のセンサ１５１及び第２のセンサ１５２は、それぞれ制御ユニット１５４に電気的に接続されたフォトセンサであり、これにより制御ユニット１５４はフォトセンサの検知電圧の変化によって原稿が検知されたかどうかを判断することができる。ここでフォトセンサの光検知焦点距離は３ｍｍ〜１０ｍｍである。図４に示すように、入力検知電圧が３．６ｍＶで、第１のセンサ１５１が原稿２００をまだ通過していないとき、比較的大きい電圧降下が生じる可能性があり、例えば検知電圧は３．６ｍＶから０．５ｍＶに降下する可能性がある。第１のセンサ１５１が原稿２００の下方に移動すると、比較的小さい電圧降下が生じる可能性があり、例えば検知電圧は、３．６ｍＶから２．７ｍＶに降下する。したがって、第１のセンサ１５１が原稿２００を検知したかどうかは電圧の変化により知ることができる。
【００１８】
図２及び図３に関連して、本実施形態において提供される移動コンポーネント１５３は実質的に原稿処理モジュール１４０の一部であること、すなわち移動コンポーネント１５３はＭＦＰ１００の密着イメージセンサ（ＣＩＳ）モジュールの一部であることをさらに説明すべきである。
【００１９】
ここでＣＩＳモジュールは光電変換装置であり、ＣＩＳモジュールの動作原理は、ＭＦＰ１００が原稿をスキャンする場合、原稿が内部スキャニング光源によって照射された後に、原稿で反射した光を検知するようにＣＩＳモジュールが使用され、光信号が電気信号に変換されるというものである。その後、制御ユニット１５４は電気信号をデジタル信号に変換し、デジタル信号をコンピュータに伝送し、これによって原稿をスキャンする全プロセスが完了する。
【００２０】
したがって、第１のセンサ１５１及び第２のセンサ１５２をＣＩＳモジュール上に配置することによって、マシン１１０が占める透明な台１２０の下方の空間を効果的に縮小し、これによって空間の利用率を高めることができる。図面に示されていない別の実施形態でも、第１のセンサ１５１及び第２のセンサ１５２を保持する移動コンポーネント１５３を、実際の要件に従ってＣＩＳモジュールとは別に設けることができ、原稿の寸法を検知する効果を得られることも確実である。
【００２１】
一方、本実施形態では、原稿が存在するかどうかを検知するためにＣＩＳモジュールを使用しない。これはＣＩＳモジュールの光検知焦点距離が比較的短く（およそ０．１ｍｍ〜０．３ｍｍ）、したがって、原稿要件により多くの制限が課せられるためである。ＣＩＳモジュールの検知精度が比較的高い場合、ＣＩＳモジュールは、より多くの計算時間を要する原稿上のテキストやイメージをスキャンするのに主に使用される。したがって、ＣＩＳモジュールを使用して、原稿が存在するかどうか及び原稿の寸法を検知する場合、検知及び計算時間の増加が効率を低下させることになる。図面に示されていない別の実施形態では、透明な台１２０の下方に移動コンポーネントをさらに配置する可能性が高く、移動コンポーネントは前記ＣＩＳモジュールと異なることは確実である。
【００２２】
第１のセンサ１５１及び第２のセンサ１５２によって原稿２００の寸法を検知する機能を以下で詳細に説明する。
【００２３】
図１及び図２を参照すると、本実施形態では、透明な台１２０は第１の基準側面１２１と、互いに隣接し直交する第２の基準側面１２２と、第１の基準側面１２１と反対側の対応側面１２３とを有する。ユーザは、以前は透明な台１２０上に原稿２００を載置し、原稿２００の一辺を第１の基準側面１２１と位置合わせでき、原稿２００の（前記一辺と隣接する）別の一辺を第２の基準側面１２２と位置合わせでき、これによって原稿２００が処理される前の準備を完了していた。ユーザが上カバー１３０を持ち上げたときに、制御ユニット１５４は、移動コンポーネント１５３の移動部材１５３ｃを対応側面１２３まで移動してそこにとどまるように駆動し、このとき第１のセンサ１５１及び第２のセンサ１５２は、図２に示すように作動していないことに留意されたい。その後、ユーザが上カバー１３０を透明な台１２０へと戻すプロセスの間に、制御ユニット１５４は、移動部材１５３ｃを対応側面１２３から第１の基準側面１２１に向かって移動するように駆動し、第１のセンサ１５１及び第２のセンサ１５２は作動し、原稿２００の寸法は検知状態に従って決定される。つまり、ＭＦＰ１００は、ユーザが上カバー１３０を閉じるプロセスの間に、原稿２００の寸法を検知する動作を完了することができる。
【００２４】
原稿２００の長さＬについて、移動コンポーネント１５３の移動部材１５３ｃが第１の軸方向Ｘに沿って移動し、第１のセンサ１５１及び第２のセンサ１５２の少なくとも１つが原稿２００を検知したとき、制御ユニット１５４は、第１のセンサ１５１及び第２のセンサ１５２の少なくとも１つが第１の軸方向Ｘに沿って移動した距離に従って、原稿２００の第１の軸方向Ｘに沿った寸法、すなわち原稿２００の長さＬを決定することができる。
【００２５】
具体的には、第１の基準側面１２１及び対応側面１２３は、移動コンポーネント１５３が第１の軸方向Ｘに沿って移動する経路上に位置するため、第１の基準側面１２１と対応側面１２３の間に距離Ｘ１が存在する。第１のセンサ１５１及び第２のセンサ１５２の少なくとも１つが原稿２００を検知したとき、移動コンポーネント１５３は制御ユニット１５４により駆動されて、対応側面１２３から第１の基準側面１２１に向かって既に得られている伝動距離Ｘ２だけ移動する。したがって、原稿２００の長さＬは、距離Ｘ１から伝動距離Ｘ２を引くことによって得られる差（Ｌ＝Ｘ１−Ｘ２）である。
【００２６】
原稿２００の幅Ｗについて、図３を参照すると、本実施形態において提供される原稿サイズ検知モジュール１５０はさらに、例えばメモリ又は別の電子装置である記憶ユニット１５５を備え、記憶ユニット１５５は制御ユニット１５４に電気的に接続され、原稿２００の寸法を記憶するように構成される。図５は、原稿の寸法とセンサの対応関係を示す表である。寸法は入力され、記憶ユニット１５５に記憶される。制御ユニット１５４が第１のセンサ１５１及び第２のセンサ１５２の検知状態を得た後、原稿２００の幅Ｗは、記憶ユニット１５５に記憶されている原稿２００の寸法を参照することによって得ることができる。
【００２７】
具体的には、図５に示されている寸法（Ｗ×Ｌ）は例として挙げられており、Ａ３サイズ、Ａ４サイズ、Ａ５サイズ、Ａ６サイズ、Ｂ４サイズ、Ｂ５サイズ、Ｂ６サイズ、及びレターサイズを含んでいる。原稿２００がたとえ同じサイズであっても、図５を参照しつつ考慮されるべき異なる向きで載置されているために寸法の決定が影響を受ける可能性がある。表中、“ＳＥＦ”はショートエッジフィードを表す、すなわち原稿２００の短辺が第１の基準側面１２１に位置合わせされて幅Ｗをなし、これに対して“ＬＥＦ”はロングエッジフィードを表す、すなわち原稿２００の長辺が第１の基準側面１２１に位置合わせされて幅Ｗをなす。
【００２８】
さらに、図５に示す表における右側の列１及び２は、第１のセンサ１５１（表中で１と示される）及び第２のセンサ１５２（表中で２と示される）の検知状態を示す黒い点を示す。黒い点があるということは、センサが原稿２００を検知することを表し、黒い点がないということは、センサが原稿２００を検知しないことを表す。したがって、制御ユニット１５４は、検知状態に従って原稿２００の寸法を相応に得ることができる。
【００２９】
図５の表はさらに、対応する動作が行われている間に、制御ユニット１５４が寸法をより迅速に決定できる伝動距離、すなわち前記した伝動距離Ｘ２を示している。
【００３０】
本実施形態によれば、第１のセンサ１５１及び第２のセンサ１５２が適切に寸法を決定できるように、第１のセンサ１５１及び第２のセンサ１５２の場所は次のように限定される。
【００３１】
原稿２００の寸法が分かった後、原稿２００の最も小さい面積（ＡＲ１＝第１のサイズ（Ｄ１）×第２のサイズ（Ｄ２））を占める寸法が第２の基準側面１２２に基づいて原稿２００の寸法から選択され、第１のセンサ１５１と第２の基準側面１２２の間に存在する第１の距離Ｙ１は、第１のサイズ（Ｄ１）と第２のサイズ（Ｄ２）の小さい方より小さい、すなわちＹ１＜ｍｉｎ（Ｄ１，Ｄ２）である。次に、原稿２００の２番目に小さい面積（ＡＲ２＝第３のサイズ（Ｄ３）×第４のサイズ（Ｄ４））を占める寸法が原稿２００の寸法から選択され、第２のセンサ１５２と第２の基準側面１２２の間に存在する第２の距離Ｙ２は、第１のサイズ（Ｄ１）と第２のサイズ（Ｄ２）の小さい方より大きく、かつ第３のサイズ（Ｄ３）と第４のサイズ（Ｄ４）の大きい方より小さい、すなわちｍｉｎ（Ｄ１，Ｄ２）＜距離（Ｙ２）＜ｍａｘ（Ｄ３，Ｄ４）である。
【００３２】
例えば、図５に示す寸法の中で、最も小さい面積はＡ６サイズであり、２番目に小さい面積はＢ６サイズである。したがって、第１のセンサ１５１と第２の基準側面１２２の間に存在する第１の距離Ｙ１は、１０５ｍｍと１４８ｍｍの小さい方より小さい、すなわちＹ１＜１０５ｍｍである。第２のセンサ１５２と第２の基準側面１２２の間に存在する第２の距離Ｙ２は、１０５ｍｍと１４８ｍｍの小さい方より大きい、すなわちＹ２＞１０５ｍｍであり、かつ第２の距離Ｙ２は、１２８ｍｍと１８２ｍｍの大きい方より小さい、すなわちＹ２＜１８２ｍｍである。したがって、１０５ｍｍ＜Ｙ２＜１８２ｍｍが得られ、第１のセンサ１５１及び第２のセンサ１５２の構成が完全に設定される。構成は本明細書において限定されず、原稿２００の寸法に応じて変化する可能性がある。つまり、構成は、記憶ユニット１５５に記憶されている情報量に応じて寸法と関連付けて適切に調整する必要がある。
【００３３】
第１のセンサ１５１及び第２のセンサ１５２の前記の場所によって、図５に示す考えられる１４個の寸法及び向きのバリエーションを効果的に区別し、これによって寸法を検知する動作を完了することができる。
【００３４】
ここで、Ａ４ ＬＥＦサイズ及びＡ５ ＳＥＦサイズを例として挙げると、第１の基準側面１２１と対応側面１２３の間の第１の軸方向Ｘに沿った距離Ｘ１は４６９ｍｍである。この条件で、制御ユニット１５４が、移動コンポーネント１５３並びに移動コンポーネント１５３上の第１のセンサ１５１及び第２のセンサ１５２を第１の軸方向Ｘに沿って対応側面１２３から第１の基準側面１２１に向かって移動するように駆動し、伝動距離Ｘ２が２５９ｍｍである場合、第１のセンサ１５１及び第２のセンサ１５２の少なくとも１つが原稿２００を検知する。このとき、制御ユニット１５４は、図５に示す表により原稿２００の長さＬが２１０ｍｍであると決定することができる。その後、第１の軸方向Ｘに沿ったその後の移動中、第１のセンサ１５１と第２のセンサ１５２はともに原稿２００を検知できるため、制御ユニット１５４は、図５に示す表により原稿２００の寸法はＡ４ ＬＥＦであると決定することができる。これに対し、第１のセンサ１５１だけが原稿２００を検知でき、第２のセンサ１５２が原稿２００を検知できない場合、制御ユニット１５４は、図５に示す表により原稿２００の寸法はＡ５ ＳＥＦであることを知ることができる。
【００３５】
移動コンポーネント１５３の最大伝動距離Ｘ２は、原稿の最も小さい面積を占める寸法であり、移動コンポーネント１５３が透明な台１２０の全長すなわち距離Ｘ１を移動することなく原稿の寸法を検知する動作を完了できることを示すことを図５に示す表から知ることができる。したがって、原稿サイズ検知モジュール１５０の移動効率を効果的に高めることができ、ＭＦＰ１００の原稿処理効率を間接的に高めることができる。
【００３６】
原稿の寸法は、本明細書で提供されるものに限定されず、設計者は、原稿２００の必要な寸法に応じて図５に示す記憶情報を拡張できることに留意されたい。換言すれば、ＭＦＰを設計するプロセスにおいて、検知対象原稿の寸法のタイプ及び数を最初に決定し、これによってさらに第１のセンサ１５１及び第２のセンサ１５２のレイアウトを設計することができる。
【００３７】
要約すると、原稿サイズ検知モジュールを備えたＭＦＰは、原稿を処理する前に原稿の寸法を検知するステップを完了することができる。換言すれば、移動コンポーネント上に設けられた第１のセンサ及び第２のセンサを使用して、制御モジュールは、移動コンポーネントを第１の軸方向に沿って移動するように駆動しながら、第１のセンサ及び第２のセンサの検知状態に従って透明な台上に載置された原稿の寸法を決定することができ、その後この寸法に基づいて原稿を処理することができる。
【００３８】
特に、第１の軸方向の原稿の長さは、第１のセンサ及び第２のセンサが原稿を検知したときに得られた距離から知ることができる。さらに、原稿の寸法を最初に得ることによって、第２の軸方向の第１のセンサ及び第２のセンサの場所を決定することができる。したがって、移動中に第１のセンサ及び第２のセンサが原稿を検知したかどうか、並びに既知の長さ及び寸法は、原稿の寸法の決定に寄与することができる。原稿の長さが同じであると仮定すると、異なる原稿の寸法は、異なる幅を有する原稿を検知することによって知ることができる。したがって、センサは、原稿全体を完全にスキャンする必要なしに原稿の寸法を決定し、これにより原稿サイズ検知モジュールの移動効率を効果的に高め、かつＭＦＰの原稿処理効率を高めることができる。
【００３９】
実施形態を参照して本開示を説明してきたが、上記の実施形態に対する修正を本発明の精神から逸脱することなく行うことができることは当業者に明らかであろう。したがって、保護の範囲は上記の詳細な説明ではなく添付の請求項によって規定されるものである。
【産業上の利用可能性】
【００４０】
複合機（ＭＦＰ）の原稿サイズ検知モジュールは、ＭＦＰの処理効率を高め、ユーザへの不快感を大幅に抑えるためにＭＦＰで使用することができる。
【符号の説明】
【００４１】
１００：ＭＦＰ／プリンタ／周辺装置
１１０：マシン
１２０：透明な台
１３０：上カバー
１４０：原稿処理モジュール
１５０：原稿サイズ検知モジュール
２００：原稿
１５１：第１のセンサ
１５２：第２のセンサ
１５３：移動コンポーネント
１５４：制御ユニット
１５５：記憶ユニット
１５３ａ：動力源
１５３ｂ：伝動部材
１５３ｃ：移動部材
１２１：第１の基準側面
１２２：第２の基準側面
１２３：対応側面
Ｘ：第１の軸方向
Ｙ：第２の軸方向
Ｘ１：距離
Ｘ２：伝動距離
Ｙ１：第１の距離
Ｙ２：第２の距離
Ｌ：長さ
Ｗ：幅
ＷｘＬ：寸法
Ｄ１：第１のサイズ
Ｄ２：第２のサイズ
Ｄ３：第３のサイズ
Ｄ４：第４のサイズ
ＡＲ１：面積
ＡＲ２：面積
【図１】
2020017939.tif 000003
【図２】
2020017939.tif 000004
【図３】
2020017939.tif 000005
【図４】
2020017939.tif 000006
【図５】
2020017939.tif 000007
【外国語明細書】
2020017939000001.pdf